(57)【要約】【課題】  主に、小学生等の、理科の学習等において、天文の知識を分かりやすく教授するための、立体的な月齢表示装置を提供する。【解決手段】  基板（１０３）と、基板（１０３）上に、第１の支柱（１０５ａ）を介して固定された光源（１０５）と、基板（１０３）上に、第２の支柱（１０７ａ）を介して、第２の支柱（１０７ａ）の軸心周りに回転可能に設置された地球儀（１０７）と、基板（１０３）上に、第３の支柱（１０９ａ）を介して、第３の支柱（１０７ａ）の軸心周りに回転可能に設置され、且つ、公転経路（１０９１）に沿って基板（１０３）面に平行に、地球儀（１０７）の周りを回転可能にされた月儀（１０９）と、を備え、地球儀（１０７）及び月儀（１０９）の各回転を、実際の天体上の運動に模擬させることによって地球から見た月齢を立体的に把握可能とする月齢表示装置【選択図】図１
0003148834.tif 000002
【実用新案登録請求の範囲】
【請求項１】
基板（１０３）と、
前記基板（１０３）上に、第１の支柱（１０５ａ）を介して固定された光源（１０５）と、
前記基板（１０３）上に、第２の支柱（１０７ａ）を介して、当該第２の支柱（１０７ａ）の軸心周りに回転可能に設置された地球儀（１０７）と、
前記基板（１０３）上に、第３の支柱（１０９ａ）を介して、当該第３の支柱（１０７ａ）の軸心周りに回転可能に設置され、且つ、公転経路（１０９１）に沿って前記基板（１０３）面に平行に、前記地球儀（１０７）の周りを回転可能にされた月儀（１０９）と、
を備え、
前記地球儀（１０７）及び前記月儀（１０９）の前記各回転を、実際の天体上の運動に模擬させることによって地球から見た月齢を立体的に把握可能とする月齢表示装置。
【考案の詳細な説明】
【技術分野】
【０００１】  本考案は、地球から見た月齢を立体的に表示可能とする装置に関する。
【背景技術】
【０００２】  特許文献１には、平面的な観察盤を用いて、任意の時点での月齢を表示可能とする考案が開示されている。
【特許文献１】実開昭６３−１６８４７１号公報
【考案の開示】
【考案が解決しようとする課題】
【０００３】  上記特許文献１の観察盤では、任意の時点における月齢を表示することが可能であるが、天文学的に、どのような地球、月、太陽、の位置関係によって、そのような月齢となるのかという原理を理解することは困難であった。
特に、月の形と見える方位が示されていて、そのような見え方となる時間を問われる場合、任意の自転の月の形を問われる場合、現在の月の方位が示されていて、その後何時間か後の月の位置を問われる場合などに、回答を示すことが困難であった、
本考案は、主に、小学生等の、理科の学習等において、天文の知識を分かりやすく教授するための、立体的な月齢表示装置を提供することを目的とする。
【課題を解決するための手段】
【０００４】  本考案では、上記課題を解決するために、
基板（１０３）と、
前記基板（１０３）上に、第１の支柱（１０５ａ）を介して固定された光源（１０５）と、
前記基板（１０３）上に、第２の支柱（１０７ａ）を介して、当該第２の支柱（１０７ａ）の軸心周りに回転可能に設置された地球儀（１０７）と、
前記基板（１０３）上に、第３の支柱（１０９ａ）を介して、当該第３の支柱（１０７ａ）の軸心周りに回転可能に設置され、且つ、公転経路（１０９１）に沿って前記基板（１０３）面に平行に、前記地球儀（１０７）の周りを回転可能にされた月儀（１０９）と、
を備え、
前記地球儀（１０７）及び前記月儀（１０９）の前記各回転を、実際の天体上の運動に模擬させることによって地球から見た月齢を立体的に把握可能とする月齢表示装置、
を提供する。
【考案の効果】
【０００５】  本考案によって、小学生等の、理科の学習等において、天文の知識を分かりやすく教授するための、立体的な月齢表示装置を提供することが可能となる。
特に、月の形と見える方位が示されていて、そのような見え方となる時間を問われる場合、任意の自転の月の形を問われる場合、現在の月の方位が示されていて、その後何時間か後の月の位置を問われる場合などに、本考案に係る月齢表示装置を用いれば、容易に回答を示すことが可能であるし、また、その天文的な根拠も容易に説明できる。
【考案を実施するための最良の形態】
【０００６】  図１は、本考案に係る月齢表示装置の１実施例の斜視図である。
本月齢表示装置は、基板（１０３）と、当該基板（１０３）上に設置された、地球儀（１０７）、月儀（１０９）、及び、擬似太陽光源（１０５）を主な構成要素とする。
地球儀（１０７）、月儀（１０９）、及び、擬似太陽光源（１０５）は、それぞれ、支柱（１０７ａ、１０９ａ、１０５ａ）によって、基板（１０３）上に支持されている。【０００７】  更に、地球儀（１０７）は、自転を模擬するように、北極から見て反時計周りに回転可能である（矢印１Ａ）。月儀（１０９）は、自転を模擬するように、北極から見て反時計周りに回転可能であり（矢印１Ｃ）、更に、その地球周りの公転を模擬するように、地球儀（１０７）の周りを反時計周りに回転可能（矢印１Ｂ及び公転経路（１０９１））である。【０００８】  図１において、太陽光を模擬する光源（１０５）からの光によって、地球儀（１０７）、月儀（１０９）には、昼間の領域（１０７Ｄ、１０９Ｎ）と夜の領域（１０７Ｄ、１０９Ｎ）が発生する。
月の自転（１Ｃ）は、月の公転（１Ｂ）に伴って、月の裏面が地球から見えないような自転（１Ｃ）を行っていること、を反映するように、地球儀（１０７）及び月儀（１０９）を回転させることで、擬似的に、太陽、地球、月の位置関係と、地球及び月の昼、夜の関係が立体的に把握可能である。【０００９】  これらの地球儀（１０７）及び月儀（１０９）の自転（１Ａ）及び公転（１Ｃ、１Ｂ）の作動は、例えば、図１の基板（１０３）の下部に、歯車（自転車のギアまたは、滑車のような仕組み）等からなる、力の伝達機構を設置し、それをモータ等で駆動することによって、自動的に実現することができるし、又は、それらの歯車を、ハンドル等（不図示）から与えられた、人力によって駆動しても良い。【００１０】  図２は、図１の月齢表示装置の構成要素である、地球儀の拡大斜視図である。地球儀（１０７）には、好ましくは、月を観察する人形（１０７ｂ）が据え付け可能である。また、地球上の所定の位置（例えば日本）において、東西南北方向を示す、方角指示板（２０１）が固定可能である。なお、２Ａは、人形（１０７ｂ）が立っている地点の法線方向である。【００１１】  図３は、図１の月齢表示装置の上面図である。基板（１０３）の表面に、時刻表示シート（３０１）を裁置可能である。この時刻表示シート（３０１）の「１２時」部分を擬似太陽光（１０５）の方向に設定する。【００１２】  次に、本考案の実施例に係る月齢表示装置の使用方法を説明する。【００１３】  図３に示すように時刻表示シート（３０１）を裁置した状態で、図１の地球儀（１０７）の、例えば日本の位置を、例えば図３の１８時方向に回転させる。また、月儀（１０９）の自転及び公転を、実際の天文上の運動に合致した状態で、それぞれ回転させる（例えば図３の状態）。【００１４】  そうすると、日本の１８時の時点で、図３の人形（１０７ｂ）から見た月の月齢が、三日月であることが容易に把握可能である。このとき、図２の方位支持板を参照すれば、東西南北のどの方向に、月が見えるかも容易に把握可能である。また、地球、月の位置関係を順次移動させることによって、任意の時点において、どのような天体的関係によって、月の月齢がどのようになるかが、立体的に把握可能である。更には、何故月の裏側が見えないのか等についても、分かりやすく説明可能である。
【産業上の利用可能性】
【００１５】  本考案は、小学生等の、理科の学習等において、天文の知識を分かりやすく教授するための教材等として利用可能である。
【図面の簡単な説明】
【００１６】
【図１】本考案に係る月齢表示装置の１実施例の斜視図である。
【図２】図１の月齢表示装置の構成要素である、地球儀の拡大斜視図である。
【図３】図１の月齢表示装置の上面図である。
【符号の説明】
【００１７】１０３  基板
１０５  擬似太陽光源
１０７  地球儀
１０９  月儀
２０１  方角指示板
３０１  時刻表示シート
【図１】
0003148834.tif 000003
【図２】
0003148834.tif 000004
【図３】
0003148834.tif 000005